(57)【要約】      （修正有）【課題】定型のカードを保持するカードホルダーであって、パソコンの薄型ディスプレイの上辺縁に載せ置き使用するカードホルダーを提供する。【解決手段】カードを保持する本体１が対向する前板２と裏板３とを山折れの折り曲げ部４によって連設し、前板２の下端より折れ曲がる２本の折れ線５ａ，５ｂを設けて一段部６と二段部７とを形成し、前板２の裏面と二段部７とを接着して前足部８を形成する。また、一段部６より突出する舌状板９を設け、舌状板９のには複数の横長の切溝１０を設け、裏板３の横線上の中央に切り線１３によって係止片１４を設け、その係止片１４の両端より継続する切り線１３を横線上に沿って左右に切り進んでからその左右の切り線１３を折り曲げ部４に向けて切り上げながら進み、その左右の切り線１３が切り終る位置において切返し部１５を形成する。さらに、左右の切返し部１５を結ぶ上辺を切り残すことで起立幅調節部１６を備える。【選択図】図１
0003174380.tif 000002
【実用新案登録請求の範囲】
【請求項１】
複数枚の表示体のカードが重ね合さつて保持する本体を対向する前板と裏板との一辺を山折れの折り曲げ部によって連設し、前板の下端より平行状態とした等間隔の折れ曲がる２本の折れ線を設けて下から一段部と二段部とを形成し、その二段部を折返して前板の裏面と二段部の裏面とを接着して前足部を形成し、一段部の外辺中央より突出する舌状板を設けてその舌状板の中央部分には複数の横長の切溝を上下の並びとして設け、裏板の下端部と前板の前足下端部との高さが折り曲げ部より同じとなる前板と裏板として形成し、一段部と二段部との間の折れ線と重なり合う裏板の位置となる横線上の中央に切り線によって下向きで突状となる係止片を設け、その突状となる係止片の両端より継続する切り線を横線上に沿って左右に切り進んでからその左右の切り線を折り曲げ部に向けて切り上げながら進み、その左右の切り線が切り終る位置においては切り線の先端部分を小さく彎曲状とした外側に回転して切り終る切返し部を形成し、左右の切返し部を結ぶ上辺を切り残すことで起立幅調節部を設けたことを特徴とするパソコン用カードホルダー。
【請求項２】
前板の上下左右の縁部分を切り線によって切り残してそこを額縁として形成し、その前板の中央を切抜くことで前板に窓部が形成され、その窓部の下縁部分の上辺を一段部と二段部との間の折れ線より高く形成してカードを移動させる敷居状の滑り溝を設けたことを特徴とする請求項１記載のパソコン用カードホルダー。
【請求項３】
前板の左右となる側辺の一方より折れ線を介して内側に折込む縦長の板を連接状態として停止板を形成し、その停止板は前板の横縁部分と上縁部分の横縁寄りとの裏面に折り重なって滑り溝を邪魔しない状態として設けたことを特徴とする請求項１又は請求項２記載のパソコン用カードホルダー。
【請求項４】
複数枚の表示体のカードが重ね合さつて保持する本体を対向する前板と裏板との１辺を山折れで幅のある帯状折り曲げ部によって連設し、前板の下端より平行状態とした等間隔に折れ曲がる３本の折れ線を設け、下から一段部と前後の中心線に山折れ部を設けた広げ板とを形成し、更に、三段部を形成し、その三段部を折返して前板の裏面と三段部の裏面とを接着して前足部を形成し、裏板の下辺と一段部の下辺とを合わせて裏板の裏面と一段部の裏面とを接着して後足部を形成したことを特徴とするパソコン用カードホルダー。
【考案の詳細な説明】
【技術分野】
【０００１】  この考案は、パソコンの薄型ディスプレイの上辺縁に表示体のカードを保持するカードホルダーに係わるもので、カレンダー、予定表、写真等をパソコンの薄型ディスプレイの上辺縁に載せ置くのに好適であるパソコン用カードホルダーに関するものである。
【背景技術】
【０００２】  従来の特許文献１における卓上カレンダーを使用状態としたときには、表示窓を設けた正面板と後面板とを上辺の折り目部を介して連接しており、下背面板が正面板の下辺と連接しており、この下背面板が後面板の下寄りとなる位置に前下がりの傾斜状態として係止しているものであった。【０００３】  また、特許文献２におけるカードホルダーを使用状態としたときには、表支持板と裏支持板さが向い合わせとした上辺部分を屈曲部によって連結しており、折り曲げ部を介して表支持板と裏支持板との側辺を掛け渡す状態とした側板が設けているものであった。
【先行技術文献】
【特許文献】
【０００４】
【特許文献１】  特開２００１−２６０５６７号公報
【特許文献２】  実願２００６−０１０００８号
【考案の開示】
【考案が解決しようとする課題】
【０００５】  最近の卓上での仕事はパソコンによる作業に変ってきているもので、従来の特許文献１に示す起立台紙を使用するときには卓上や棚等の上に置く場所が狭くなってきており、パソコンの薄型ディスプレイの上辺縁に置いても下背面板が傾斜しているので落下することになり取り付けることが出来ず置き場に困る課題があった。【０００６】  また、特許文献２におけるカードホルダーや卓上カレンダーとしているものは、平面の上に置くものとしているもので、薄型ディスプレイの上辺縁に置いてみると、表支持板と裏支持板とを連結している左右の測板の下辺が直線状態となっているので、薄型ディスプレイの上辺縁に置いたときには、接触部分が線や点支えとなるので安定性が無く落下し易く成るもので取り付けることが出来ず置き場に困る課題があった。【０００７】  そこで、この考案は、現代における薄型ディスプレイの発展に伴なって、これらに利用することが出来るカードホルダーを提供することが課題である。
【課題を解決するための手段】
【０００８】  複数枚の表示体のカードｙを重ね合せて保持する本体１を対向する前板２と裏板３とを山折れの折り曲げ部４によって連設し、前板２の下端より平行状態とした等間隔に折れ曲がる２本の折れ線５ａ，５ｂを設けて下から一段部６と二段部７とを形成している。【０００９】  その二段部７を折返して前板２の裏面と二段部７の裏面とを接着して前足部８を形成して一段部６の外辺中央より突出する舌状板９を設け、その舌状板９の中央部分には複数の横長の切溝１０を上下の並びとして設けている。【００１０】  そして、裏板３の下端部１１と前板２の前足下端部１２との幅が折り曲げ部４より同じとなる高さにして前板２と裏板３とを形成しており、これは前板２と裏板３との前後のバランスが安定するものである。【００１１】  一段部６と二段部７との間の折れ線５ａと重なり合う裏板３の同じ位置となる横線上において、その横線上の中央に切れ線１３によって一段部６に設けている舌状板９の切溝１０に挿入可能となる下向きで突状となる係止片１４を形成している。【００１２】  そして、その突状となる係止片１４の両端より継続する切り線１３を横線上に沿って左右に切り進んでから左右の切り線１３を折り曲げ部４に向けて切り上げながら進み、その左右の切り線１３が切り終る位置においては切り線１３の先端部分を小さく彎曲状とした外側に回転して切り終わる切返し部１５を形成しているもので、これは切り線１３の先端部分からの破損を防ぐものである。【００１３】  左右の切返し部１５を結ぶ上辺を切り残すことで前後に振り動く起立幅調節部１６が形成されるもので、このパソコン用カードホルダーれを使用するときには一段部６に設けている舌状板９を起立幅調節部１６の係止片１４に掛け止めた形状にすることで、一段部６がおおよそ水平状態となり、前板２と裏板３との前後のバランスが安定なものとしていることで、薄型ディスプレイの上辺がおおよそ水平状態であることから載せ置くことが安定した状態に成るものである。【００１４】  前板２の上下左右の縁部分を切り線１３によって切り残すことでそこを額縁として形成し、その前板２の中央を切抜くことで前板２に切り抜いた窓部１７が形成され、その窓部１７の下縁部分の上辺を一段部６と二段部７との間の折れ線５ａより高く形成してカードｙを移動させる敷居状の滑り溝１８を設けることができる。【００１５】  本考案のパソコン用カードホルダーにおいては、前板２の左右となる縁の一方より折れ線５ｃを介して内側に折込む縦長の板を連接状態として停止板１９を形成し、その停止板１９は前板２の横縁部分と上縁部分の横縁寄りとの裏面に折り重なり滑り溝１８を邪魔しない状態として設けてカードｙの差し込みが窓部１７と同じにするものとしている。【００１６】  本考案のパソコン用カードホルダーにカードｙを差し込む方法は、前板２と裏板３との間に形成されている空間に表示体であるカードｙを前板２の裏面に寄せ付けるようにして横から挿入するものであり、カードｙとしては窓部１８に納まる大きさとしたカレンダーや予定表それに写真等を使用することが出来る。【００１７】  パソコン用カードホルダーの構造を簡単なものとして考えられるものは、複数枚の表示体のカードｙが���ね合さつて保持する本体１を対向する前板２と裏板３との１辺を山折れの帯状折り曲げ部２５によって連設し、前板２の下端より平行状態とした等間隔に折れ曲がる３本の折れ線５を設け、下から一段部６と前後の中心線に谷折れ部２１を設けた広げ板２２とを形成し、更に、広げ板２２と三段部２３とを連接し、その三段部２３を折返して前板２の裏面と三段部２３の裏面とを接着して前足部８を形成し、裏板の下辺と一段部６の下辺とを合わせて裏板３の裏面と一段部６の裏面とを接着して後足部２４を形成したパソコン用カードホルダーが考えられる。【００１８】  折れ曲り部４に幅を設けた帯状折り曲げ部２５は、前足部８と後足部２４との厚さに山折れ部２１を設けた広げ板２２の厚さとを折畳んで重ねた状態を考えたもので、前足部８と後足部２４とを広げて使用し、前足部８と後足部２４とを寄せ合せたときのカードホルダーを平坦な状態として収納が出来るもで、取扱い易いものである。【００１９】上記のパソコン用カードホルダーに表示体のカードｙを取り付ける手段としてはカードｙの上辺部分と前板２の上辺部分とを接着させたり、カードホルダーとカードとの上辺に複数の孔を設けて綴込み用リングによって連結させたりするなどの手段が考えられる。
【考案の効果】
【００２０】  本考案に関するパソコン用カードホルダーは、最近の卓上での仕事がパソコンによる作業に変ってきて卓上や棚等の上では物を置く場所が狭くなっており、パソコンの薄型ディスプレイの上辺縁に取り付けるものであれば置き場に困ることが無くなり、間仕切り用フェンスの上辺縁に掛け止めて使用することもできるものであるから、最近のオフィスにおいて使い易いパソコン用カードホルダーとなるものである。【００２１】  また、本考案に関するカードホルダーは、卓上や棚等の上に置いて従来の卓上カレンダーと同じように使用することも出来ることは当然なことであり、薄型テレビの液晶パネルの上辺縁に取り付けて置くと展示会の開催日のお知らせなどが放映されたときにはテレビを見ながら即座に予定変更ができるものである。【００２２】  本体１の素材としては紙質やブラスチック、それに木質や再生紙等が考えられ、本体１の大きさにおいても名刺、はがき、横長のワイドサイズとして形成することが出来るものであり、従来の卓上カレンダーにおいて見られるカードホルダーとカードとの上辺に複数の孔をを設けて綴込み用リングによって連結した卓上カレンダーにおいても本考案を応用することができるものである。
【考案を実施するための最良の形態】
【００２３】  以下、実施例を図面にもとづいて説明する。
【実施例１】
【００２４】  本考案に係わる一つの実施例としては、本体１である板紙で厚紙である紙類の他にエコ紙やプラスチックを使用することが出来るものであって、板紙を図１及び図２に示すように、複数枚の表示体を重ね合せて保持する本体１を対向する前板２と裏板３とを山折れの折り曲げ部４によって連設し、前板２の下端より平行状態とした等間隔に折れ曲がる２本の折れ線５ａ，５ｂを設けて下から一段部６と二段部７とを形成している。【００２５】  その二段部７を折返して前板２の裏面と二段部７の裏面とを接着して前足部８を形成しているもので、一段部６の外辺中央より突出する舌状板９を設けてその舌状板９の中央部分には複数の横長の切溝１０を上下の並びとして設けている。【００２６】  そして、裏板３の下端部１１と前板２の前足下端部１２との幅が折り曲げ部４より同じとなる高さにして前板２と裏板３とを形成していて、図３に示すように一段部６の水平と薄型ディスプレーの上部の縁面が水平であるので載せ置く状態が安定するものである。【００２７】  一段部６と二段部７との間の折れ線５ａと重なり合う裏板３の同じ位置となる横線上において、その横線上の中央に切れ線１３によって一段部６に設けている舌状板９の切溝１０に挿入可能となる下向きで突状となる係止片１４を形成している。【００２８】  そして、その突状となる係止片１４の両端より継続する切り線１３を横線上に沿って左右に切り進んでから左右の切り線１３を折り曲げ部４に向けて切り上げながら進み、その左右の切り線１３が切り終る位置においては切り線１３の先端部分を小さく彎曲状とした外側に回転して切り終わる切返し部１５を形成しているもので、これは切り線１３の先端部分からの破損を防ぐものである。【００２９】  左右の切返し部１６を結ぶ上辺を切り残すことで前後に振り動く起立幅調節部１６が切り線１３によって形成されるもので、このパソコン用カードホルダーを使用状態として組立てるときには舌状板９を起立幅調節部１６の下側に差し込み、一段部６に設けている舌状板９の切溝１０と起立幅調節部１６の係止片１４とに掛け止めて屋根形状にするものであり、舌状板９を起立幅調節部１６の下側に止まるまで差し込むことで前板２と裏板３とが接近して平坦になって収納ができ、この収納状態から前板２と裏板３とを引き離すと屋根形状を形成することは舌状板９と起立幅調節部１６とが上下に重なって滑る状態の構造としているからである。【００３０】  複数設けている切溝１０の位置を変えることで前板２と裏板３との隔たりを調節することが出来るもので、起立幅調節部１６の中央部分に操作指孔２０が設けていることは起立幅調節部１６による隔たりの調節を容易にするものである【００３１】  このように組立てることで、一段部６が前板２と裏板３とを掛け渡しておおよそ水平状態となるものであるから、薄型ディスプレイの上辺にある縁が水平としている面があることから前板２と裏板３とを掛け渡している一段部６を載せ置くことが出来るものである。【００３２】  それから、前板２の上下左右の縁部分を切り線１３によって切り残こしてそこを額縁として形成し、その前板２の中央を切抜くことによって前板２に窓部１７が形成され、その窓部１７の下縁部分の上辺を一段部６と二段部７との間の折れ線５ａより高く形成してカードｙを移動させる敷居状の滑り溝１８を設けたものとしている。【００３３】  表示体であるカードｙを本体１に装着するときには、前板２と裏板３との間に形成されている空間の横側から表示体であるカードｙを前板２の裏面に寄せ付けるようにして挿入するものである。
【実施例２】
【００３４】  他の実施例としては、図４に示すように、前板２の左右となる縁の一方より折れ線５ｃを介して内側に折込む縦長の板を連接状態として停止板１９を形成し、その停止板１９は前板２の横縁部分と上縁部分で横縁寄りの裏面に折り重なり滑り溝１８を邪魔しない状態として設けたものとしている。【００３５】  この停止板１９はカードｙを本体１に挿入したときに、挿入先から抜け出ることを防ぐもので、前板２の窓部１８にカードｙの表示している要件が表示し易くするものである。
【実施例３】
【００３６】  更に、本考案に係わるその他の実施例としては、図５に示すように、本体１の横の長さを２倍とすることが考えられるもので、カレンダーカードであれば２ヶ月分を一枚のカードｙに記載して窓部１７に表示することが出来、写真カードであればワイドサイズのものを装着することが出来ことになる。【００３７】  本体１の横の長さを２倍としたものは、停止板１９を設けなくても良いもので、前板２と裏板３との間に形成されている空間の左右横側から指先によって表示体を移動操作が行い易いものである。【００３８】  本体１の横の長さを名刺の大きさに合わせることも考えられ、この名刺型のものは薄型ディスプレイの上辺縁に複数を載置することができるので多数の情報を目にすることができることになる。
【実施例４】
【００３９】  それから、本考案に係わる別の実施例としては、図６に示すように、本体１の構造を簡素にしたものも考えられるものである。【００４０】  それは、複数枚の表示体のカードｙが重ね合さつて保持する本体１を対向する前板２と裏板３との１辺を山折れの帯状折り曲げ部２５によって連設し、前板２の下端より平行状態とした等間隔に折れ曲がる３本の折れ線５を介して三つの部分を連接している。【００４１】  その三つの部分を下から一段部６とその次に前後の中心線に谷折れ部２１を設けた広げ板２２とを連接し、更に、広げ板２２の次に三段部２３を連接して本体１を形成しているものである。【００４２】  そして、その三段部２３を折返して前板２の裏面と三段部２３の裏面とを接着して前足部８を形成し、裏板の下辺と一段部６の下辺とを合わせて裏板３の裏面と一段部６の裏面とを接着して後足部２４を形成したパソコン用カードホルダーが考えられる。【００４３】  これを使用状態にするときには、図７に示すように、薄型ディスプレイの上辺に前板２と裏板３との間の谷折れ部２１を押しつけることで本体１を載せ置くことが出来るものである【００４４】  折れ曲り部４に幅を設けた帯状折り曲げ部２５は、前足部８と後足部２４との厚さに山折れ部２１を設けた広げ板２２の厚さがあることを考えて、前板２と裏板３とを折畳んで重ねてふくらんだ状態を考えたものである。【００４５】  このカードホルダーに表示体のカードｙを取り付ける手段としてはカードｙの上辺部分と前板２の上辺部分とを接着させたり、カードホルダーとカードｙとの上辺に複数の孔を設けて綴込み用リングによって連結するなどの手段が考えられるもので窓部１７を設けることも考えら、構成が簡単であるから生産コストが安価となるものである。【００４６】  本考案におけるカードホルダーの素材は、厚紙である紙質の他にエコ紙や合成樹脂、それに木質や再生紙等を使用することが考えられるものである。
【図面の簡単な説明】
【００４７】
【図１】  本考案に係わる一つの実施例を示す裏板側からの斜視図である。
【図２】  本考案に係わる一つの実施例を示す組立て中の斜視図である。
【図３】  薄型ディスプレイの上部に載せ置いた状態を示す側面図である。
【図４】  本考案の他の実施例を示す斜視図である。
【図５】  本考案のその他の実施例を示す斜視図である。
【図６】  本考案の別の実施例を示す斜視図である。
【図７】  薄型ディスプレイの上辺に谷折れ部を押しつける状態を示す側面図である。
【符号の説明】
【００４８】１  本体
２  前板
３  裏板
４  折り曲り部
５ａ  折れ線
５ｂ  折れ線
５ｃ  折れ線
６  一段部
７  二段部
８  前足部
９  舌状板
１０  切溝
１１  下端部
１２  前足下端部
１３  切り線
１４  係止片
１５  切返し部
１６  起立幅調節部
１７  窓部
１８  滑り溝
１９  停止板
２０  操作指孔
２１  谷折れ部
２２  広げ板
２３  三段部
２４  後足部
２５  帯状折れ曲り部
ｙ  カード
【図１】
0003174380.tif 000003
【図２】
0003174380.tif 000004
【図３】
0003174380.tif 000005
【図４】
0003174380.tif 000006
【図５】
0003174380.tif 000007
【図６】
0003174380.tif 000008
【図７】
0003174380.tif 000009
【手続補正書】
【提出日】平成23年9月29日(2011.9.29)
【手続補正１】
【補正対象書類名】実用新案登録請求の範囲
【補正対象項目名】請求項４
【補正方法】変更
【補正の内容】
【請求項４】
一段部の外辺中央より突出する舌片板と裏板の起立幅調節部とを設けず、前板の下端より平行状態とした折れ曲がる三本の折れ線を介して三つの部分を連接し、その三つの部分の中間部分には折れ線と平行状態で上下の幅を等分する状態の谷折れ部を設けた広げ板を形成し、その三つの部分の上部分を三段部として前板の裏面と三段部の裏面とを接着して前足部を形成し、その三つの部分の下部分を一段部として裏板の下辺と一段部の下辺とを合せて裏板の裏面と一段部の裏面とを接着して後足部を形成したことを特徴とする請求項１又は請求項２記載のパソコン用カードホルダー。
【手続補正書】
【提出日】平成23年12月21日(2011.12.21)
【手続補正１】
【補正対象書類名】実用新案登録請求の範囲
【補正対象項目名】全文
【補正方法】変更
【補正の内容】
【実用新案登録請求の範囲】
【請求項１】
複数枚の表示体のカードが重ね合さって保持する本体を対向する前板と裏板との一辺を山折れの折り曲げ部によって連設し、前板の下端より平行状態とした等間隔の折れ曲がる２本の折れ線を設けて下から一段部と二段部とを形成し、その二段部を折返して前板の裏面と二段部の裏面とを接着して前足部を形成し、一段部の外辺中央より突出する舌状板を設けてその舌状板の中央部分には複数の横長の切溝を上下の並びとして設け、裏板の下端部と前板の前足下端部との高さが折り曲げ部より同じとなる前板と裏板として形成し、一段部と二段部との間の折れ線と重なり合う裏板の位置となる横線上の中央に切り線によって下向きで突状となる係止片を設け、その突状となる係止片の両端より継続する切り線を横線上に沿って左右に切り進んでからその左右の切り線を折り曲げ部に向けて切り上げながら進み、その左右の切り線が切り終る位置においては切り線の先端部分を小さく彎曲状とした外側に回転して切り終る切返し部を形成し、左右の切返し部を結ぶ上辺を切り残すことで起立幅調節部を設けたことを特徴とするパソコン用カードホルダー。
【請求項２】
前板の上下左右の縁部分を切り線によって切り残してそこを額縁として形成し、その前板の中央を切抜くことで前板に窓部が形成され、その窓部の下縁部分の上辺を一段部と二段部との間の折れ線より高く形成してカードを移動させる敷居状の滑り溝を設けたことを特徴とする請求項１記載のパソコン用カードホルダー。
【請求項３】
前板の左右となる側辺の一方より折れ線を介して内側に折込む縦長の板を連接状態として停止板を形成し、その停止板は前板の横縁部分と上縁部分の横縁寄りとの裏面に折り重なって滑り溝を邪魔しない状態として設けたことを特徴とする請求項１又は請求項２記載のパソコン用カードホルダー。
【手続補正書】
【提出日】平成23年12月21日(2011.12.21)
【手続補正１】
【補正対象書類名】図面
【補正対象項目名】図６
【補正方法】削除
【補正の内容】
【手続補正２】
【補正対象書類名】図面
【補正対象項目名】図７
【補正方法】削除
【補正の内容】
【手続補正書】
【提出日】平成23年12月21日(2011.12.21)
【手続補正１】
【補正対象書類名】明細書
【補正対象項目名】全文
【補正方法】変更
【補正の内容】
【考案の詳細な説明】
【技術分野】
【０００１】  この考案は、パソコンの薄型ディスプレイの上辺縁に表示体のカードを保持するカードホルダーに係わるもので、カレンダー、予定表、写真等をパソコンの薄型ディスプレイの上辺縁に載せ置くのに好適であるパソコン用カードホルダーに関するものである。
【背景技術】
【０００２】  従来の特許文献１における卓上カレンダーを使用状態としたときには、表示窓を設けた正面板と後面板とを上辺の折り目部を介して連接しており、下背面板が正面板の下辺と連接しており、この下背面板が後面板の下寄りとなる位置に前下がりの傾斜状態として係止しているものであった。【０００３】  また、特許文献２におけるカードホルダーを使用状態としたときには、表支持板と裏支持板さが向い合わせとした上辺部分を屈曲部によって連結しており、折り曲げ部を介して表支持板と裏支持板との側辺を掛け渡す状態とした側板が設けているものであった。
【先行技術文献】
【特許文献】
【０００４】
【特許文献１】  特開２００１−２６０５６７号公報
【特許文献２】  実願２００６−０１０００８号
【考案の開示】
【考案が解決しようとする課題】
【０００５】  最近の卓上での仕事はパソコンによる作業に変ってきているもので、従来の特許文献１に示す起立台紙を使用するときには卓上や棚等の上に置く場所が狭くなってきており、パソコンの薄型ディスプレイの上辺縁に置いても下背面板が傾斜しているので落下することになり取り付けることが出来ず置き場に困る課題があった。【０００６】  また、特許文献２におけるカードホルダーや卓上カレンダーとしているものは、平面の上に置くものとしているもので、薄型ディスプレイの上辺縁に置いてみると、表支持板と裏支持板とを連結している左右の測板の下辺が直線状態となっているので、薄型ディスプレイの上辺縁に置いたときには、接触部分が線や点支えとなるので安定性が無く落下し易く成るもので取り付けることが出来ず置き場に困る課題があった。【０００７】  そこで、この考案は、現代における薄型ディスプレイの発展に伴なって、これらに利用することが出来るカードホルダーを提供することが課題である。
【課題を解決するための手段】
【０００８】  複数枚の表示体のカードｙを重ね合せて保持する本体１を対向する前板２と裏板３とを山折れの折り曲げ部４によって連設し、前板２の下端より平行状態とした等間隔に折れ曲がる２本の折れ線５ａ，５ｂを設けて下から一段部６と二段部７とを形成している。【０００９】  その二段部７を折返して前板２の裏面と二段部７の裏面とを接着して前足部８を形成して一段部６の外辺中央より突出する舌状板９を設け、その舌状板９の中央部分には複数の横長の切溝１０を上下の並びとして設けている。【００１０】  そして、裏板３の下端部１１と前板２の前足下端部１２との幅が折り曲げ部４より同じとなる高さにして前板２と裏板３とを形成しており、これは前板２と裏板３との前後のバランスが安定するものである。【００１１】  一段部６と二段部７との間の折れ線５ａと重なり合う裏板３の同じ位置となる横線上において、その横線上の中央に切れ線１３によって一段部６に設けている舌状板９の切溝１０に挿入可能となる下向きで突状となる係止片１４を形成している。【００１２】  そして、その突状となる係止片１４の両端より継続する切り線１３を横線上に沿って左右に切り進んでから左右の切り線１３を折り曲げ部４に向けて切り上げながら進み、その左右の切り線１３が切り終る位置においては切り線１３の先端部分を小さく彎曲状とした外側に回転して切り終わる切返し部１５を形成しているもので、これは切り線１３の先端部分からの破損を防ぐものである。【００１３】  左右の切返し部１５を結ぶ上辺を切り残すことで前後に振り動く起立幅調節部１６が形成されるもので、このパソコン用カードホルダーれを使用するときには一段部６に設けている舌状板９を起立幅調節部１６の係止片１４に掛け止めた形状にすることで、一段部６がおおよそ水平状態となり、前板２と裏板３との前後のバランスが安定なものとしていることで、薄型ディスプレイの上辺がおおよそ水平状態であることから載せ置くことが安定した状態に成るものである。【００１４】  前板２の上下左右の縁部分を切り線１３によって切り残すことでそこを額縁として形成し、その前板２の中央を切抜くことで前板２に切り抜いた窓部１７が形成され、その窓部１７の下縁部分の上辺を一段部６と二段部７との間の折れ線５ａより高く形成してカードｙを移動させる敷居状の滑り溝１８を設けることができる。【００１５】  本考案のパソコン用カードホルダーにおいては、前板２の左右となる縁の一方より折れ線５ｃを介して内側に折込む縦長の板を連接状態として停止板１９を形成し、その停止板１９は前板２の横縁部分と上縁部分の横縁寄りとの裏面に折り重なり滑り溝１８を邪魔しない状態として設けてカードｙの差し込みが窓部１７と同じにするものとしている。【００１６】  本考案のパソコン用カードホルダーにカードｙを差し込む方法は、前板２と裏板３との間に形成されている空間に表示体であるカードｙを前板２の裏面に寄せ付けるようにして横から挿入するものであり、カードｙとしては窓部１８に納まる大きさとしたカレンダーや予定表それに写真等を使用することが出来る。【００１７】  パソコン用カードホルダーの構造を簡単なものとして考えられるものは、複数枚の表示体のカードｙが���ね合さつて保持する本体１を対向する前板２と裏板３との１辺を山折れの帯状折り曲げ部２５によって連設し、前板２の下端より平行状態とした等間隔に折れ曲がる３本の折れ線５を設け、下から一段部６と前後の中心線に谷折れ部２１を設けた広げ板２２とを形成し、更に、広げ板２２と三段部２３とを連接し、その三段部２３を折返して前板２の裏面と三段部２３の裏面とを接着して前足部８を形成し、裏板の下辺と一段部６の下辺とを合わせて裏板３の裏面と一段部６の裏面とを接着して後足部２４を形成したパソコン用カードホルダーが考えられる。【００１８】  折れ曲り部４に幅を設けた帯状折り曲げ部２５は、前足部８と後足部２４との厚さに山折れ部２１を設けた広げ板２２の厚さとを折畳んで重ねた状態を考えたもので、前足部８と後足部２４とを広げて使用し、前足部８と後足部２４とを寄せ合せたときのカードホルダーを平坦な状態として収納が出来るもで、取扱い易いものである。【００１９】上記のパソコン用カードホルダーに表示体のカードｙを取り付ける手段としてはカードｙの上辺部分と前板２の上辺部分とを接着させたり、カードホルダーとカードとの上辺に複数の孔を設けて綴込み用リングによって連結させたりするなどの手段が考えられる。
【考案の効果】
【００２０】  本考案に関するパソコン用カードホルダーは、最近の卓上での仕事がパソコンによる作業に変ってきて卓上や棚等の上では物を置く場所が狭くなっており、パソコンの薄型ディスプレイの上辺縁に取り付けるものであれば置き場に困ることが無くなり、間仕切り用フェンスの上辺縁に掛け止めて使用することもできるものであるから、最近のオフィスにおいて使い易いパソコン用カードホルダーとなるものである。【００２１】  また、本考案に関するカードホルダーは、卓上や棚等の上に置いて従来の卓上カレンダーと同じように使用することも出来ることは当然なことであり、薄型テレビの液晶パネルの上辺縁に取り付けて置くと展示会の開催日のお知らせなどが放映されたときにはテレビを見ながら即座に予定変更ができるものである。【００２２】  本体１の素材としては紙質やブラスチック、それに木質や再生紙等が考えられ、本体１の大きさにおいても名刺、はがき、横長のワイドサイズとして形成することが出来るものであり、従来の卓上カレンダーにおいて見られるカードホルダーとカードとの上辺に複数の孔をを設けて綴込み用リングによって連結した卓上カレンダーにおいても本考案を応用することができるものである。
【考案を実施するための最良の形態】
【００２３】  以下、実施例を図面にもとづいて説明する。
【実施例１】
【００２４】  本考案に係わる一つの実施例としては、本体１である板紙で厚紙である紙類の他にエコ紙やプラスチックを使用することが出来るものであって、板紙を図１及び図２に示すように、複数枚の表示体を重ね合せて保持する本体１を対向する前板２と裏板３とを山折れの折り曲げ部４によって連設し、前板２の下端より平行状態とした等間隔に折れ曲がる２本の折れ線５ａ，５ｂを設けて下から一段部６と二段部７とを形成している。【００２５】  その二段部７を折返して前板２の裏面と二段部７の裏面とを接着して前足部８を形成しているもので、一段部６の外辺中央より突出する舌状板９を設けてその舌状板９の中央部分には複数の横長の切溝１０を上下の並びとして設けている。【００２６】  そして、裏板３の下端部１１と前板２の前足下端部１２との幅が折り曲げ部４より同じとなる高さにして前板２と裏板３とを形成していて、図３に示すように一段部６の水平と薄型ディスプレーの上部の縁面が水平であるので載せ置く状態が安定するものである。【００２７】  一段部６と二段部７との間の折れ線５ａと重なり合う裏板３の同じ位置となる横線上において、その横線上の中央に切れ線１３によって一段部６に設けている舌状板９の切溝１０に挿入可能となる下向きで突状となる係止片１４を形成している。【００２８】  そして、その突状となる係止片１４の両端より継続する切り線１３を横線上に沿って左右に切り進んでから左右の切り線１３を折り曲げ部４に向けて切り上げながら進み、その左右の切り線１３が切り終る位置においては切り線１３の先端部分を小さく彎曲状とした外側に回転して切り終わる切返し部１５を形成しているもので、これは切り線１３の先端部分からの破損を防ぐものである。【００２９】  左右の切返し部１６を結ぶ上辺を切り残すことで前後に振り動く起立幅調節部１６が切り線１３によって形成されるもので、このパソコン用カードホルダーを使用状態として組立てるときには舌状板９を起立幅調節部１６の下側に差し込み、一段部６に設けている舌状板９の切溝１０と起立幅調節部１６の係止片１４とに掛け止めて屋根形状にするものであり、舌状板９を起立幅調節部１６の下側に止まるまで差し込むことで前板２と裏板３とが接近して平坦になって収納ができ、この収納状態から前板２と裏板３とを引き離すと屋根形状を形成することは舌状板９と起立幅調節部１６とが上下に重なって滑る状態の構造としているからである。【００３０】  複数設けている切溝１０の位置を変えることで前板２と裏板３との隔たりを調節することが出来るもので、起立幅調節部１６の中央部分に操作指孔２０が設けていることは起立幅調節部１６による隔たりの調節を容易にするものである【００３１】  このように組立てることで、一段部６が前板２と裏板３とを掛け渡しておおよそ水平状態となるものであるから、薄型ディスプレイの上辺にある縁が水平としている面があることから前板２と裏板３とを掛け渡している一段部６を載せ置くことが出来るものである。【００３２】  それから、前板２の上下左右の縁部分を切り線１３によって切り残こしてそこを額縁として形成し、その前板２の中央を切抜くことによって前板２に窓部１７が形成され、その窓部１７の下縁部分の上辺を一段部６と二段部７との間の折れ線５ａより高く形成してカードｙを移動させる敷居状の滑り溝１８を設けたものとしている。【００３３】  表示体であるカードｙを本体１に装着するときには、前板２と裏板３との間に形成されている空間の横側から表示体であるカードｙを前板２の裏面に寄せ付けるようにして挿入するものである。
【実施例２】
【００３４】  他の実施例としては、図４に示すように、前板２の左右となる縁の一方より折れ線５ｃを介して内側に折込む縦長の板を連接状態として停止板１９を形成し、その停止板１９は前板２の横縁部分と上縁部分で横縁寄りの裏面に折り重なり滑り溝１８を邪魔しない状態として設けたものとしている。【００３５】  この停止板１９はカードｙを本体１に挿入したときに、挿入先から抜け出ることを防ぐもので、前板２の窓部１８にカードｙの表示している要件が表示し易くするものである。
【実施例３】
【００３６】  更に、本考案に係わるその他の実施例としては、図５に示すように、本体１の横の長さを２倍とすることが考えられるもので、カレンダーカードであれば２ヶ月分を一枚のカードｙに記載して窓部１７に表示することが出来、写真カードであればワイドサイズのものを装着することが出来ことになる。【００３７】  本体１の横の長さを２倍としたものは、停止板１９を設けなくても良いもので、前板２と裏板３との間に形成されている空間の左右横側から指先によって表示体を移動操作が行い易いものである。【００３８】  本体１の横の長さを名刺の大きさに合わせることも考えられ、この名刺型のものは薄型ディスプレイの上辺縁に複数を載置することができるので多数の情報を目にすることができることになる。【００３９】  本考案におけるカードホルダーの素材は、厚紙である紙質の他にエコ紙や合成樹脂、それに木質や再生紙等を使用することが考えられるものである。
【図面の簡単な説明】
【００４０】
【図１】  本考案に係わる一つの実施例を示す裏板側からの斜視図である。
【図２】  本考案に係わる一つの実施例を示す組立て中の斜視図である。
【図３】  薄型ディスプレイの上部に載せ置いた状態を示す側面図である。
【図４】  本考案の他の実施例を示す斜視図である。
【図５】  本考案のその他の実施例を示す斜視図である。
【符号の説明】
【００４１】１  本体
２  前板
３  裏板
４  折り曲り部
５ａ  折れ線
５ｂ  折れ線
５ｃ  折れ線
６  一段部
７  二段部
８  前足部
９  舌状板
１０  切溝
１１  下端部
１２  前足下端部
１３  切り線
１４  係止片
１５  切返し部
１６  起立幅調節部
１７  窓部
１８  滑り溝
１９  停止板
２０  操作指孔
ｙ  カード